(57)【要約】      （修正有）【課題】電子カタログ、電子書籍上から直接の電子商取引を可能にし、カタログ上に羅列された１つの画像、動画中に２点以上の商品、サービスが存在する場合に画面遷移なくそれぞれの商品及びサービスに対して電子商取引を行うことを可能にするシステムを構築する。【解決手段】電子カタログは、詳細情報へのリンクが設定されたリンクボタン５及び電子カート６を有する。ユーザが物品、サービスの購入に進む場合、電子カート６をクリックし、商品をカートにいれる。詳細情報を取得する場合にはリンクボタン５をクリックすることで詳細情報を閲覧する。電子カタログのコンテンツ２もしくは３において、電子カート６とリンクボタン５のクリックによる画面遷移はなく、同ページに表示されるポップアップなどから購入、閲覧に進む。【選択図】図１
2020046785.tif 000002
【特許請求の範囲】
【請求項１】
電子カタログ、電子書籍上からの直接の電子商取引を可能とすることを特徴とするシステム。
【請求項２】
カタログ様に羅列された１つの画像中に２点以上の商品、サービスが存在する場合に任意の商品、サービスを区別し任意の１点を選択することで画面遷移なく電子カートへの追加または詳細情報の取得を可能とすることを特徴とするシステム
【発明の詳細な説明】
【技術分野】
【０００１】
本発明は、電子カタログ、電子書籍およびカタログ様に羅列、展開する画像と動画を含むオンラインコンテンツに電子商取引における販売システムを付帯したものである。
【背景技術】
【０００２】
従来、電子カタログ、電子書籍は単に広告、情報媒体として存在しそれ自体に掲載された物品、サービスから直接購入決済する電子商取引の機能は備えていなかった。
【０００３】
またカタログ様に羅列された１つの画像、動画中に２点以上の商品、サービスが存在する場合に画面遷移なく電子商取引を行うシステムは存在しなかった。
【発明の概要】
【発明が解決しようとする課題】
【０００４】
解決しようとする問題点は、電子カタログ、電子書籍上からの直接の電子商取引を可能にするシステムの構築、およびカタログ上に羅列された１つの画像、動画中に２点以上の商品、サービスが存在する場合に画面遷移なく電子商取引を行うシステムの構築。
【課題を解決するための手段】
【０００５】
本発明は、ユーザが電子カタログ、電子書籍上から直接の電子商取引を行うことを可能とする点を特徴とするシステムである。
【０００６】
またカタログ様に羅列された１つの画像、動画中に２点以上の商品、サービスが存在する場合にうち１点任意の商品、サービスをクリックするだけで画面遷移なく同ページに表示されるポップアップなどから電子カートへの追加または詳細情報の取得を可能とすることを特徴とするシステムである。
【発明の効果】
【０００７】
本発明のシステムでは電子カタログ、電子書籍上からの直接の電子商取引およびカタログ様に羅列された１つの画像中に２点以上の商品、サービスが存在する場合において任意の商品だけを同ページに表示されるポップアップなどから画面遷移なく購入、詳細情報の取得が可能であるため、個々のユーザの操作上の手間が減少し便利である。
【図面の簡単な説明】
【０００８】
【図１】図１はユーザが電子商取引において商品電子カートにいれる、または詳細を閲覧する一連の流れを記載した説明図である。
【発明を実施するための形態】
【０００９】
以下、本発明のシステムの実施機構を説明する。
図１は、本発明の実施例でありユーザが電子商取引において商品電子カートにいれる、または詳細を閲覧する一連の流れを記載した説明図である
【００１０】
ユーザ側の注文者端末からオンラインコンテンツにアクセスする。１〜３はそれぞれ、コンテンツの掲載パターンの１つである。  
【００１１】
ユーザはオンラインコンテンツ中から任意の物品、サービスを選択する。４はコンテンツの一例である。
【００１２】
５は詳細情報へのリンクが設定されたリンクボタンの一例であり、６は電子カートである。ユーザが物品、サービスの購入に進む場合には６電子カートをクリックし、商品をカートにいれる。詳細情報を取得する場合には５リンクボタンをクリックすることで詳細情報を閲覧することができる。なおコンテンツ２もしくは３の場合においては、６電子カートと５リンクボタンのクリックによる画面遷移はなく同ページに表示されるポップアップなどから購入、閲覧に進む。
【産業上の利用可能性】
【００１３】
電子書籍、電子カタログ上から直接電子商取引を行うことができ、カタログ様の画像、動画１点において２点以上の商品、サービスが存在する場合には画面遷移なくページのポップアップウィンドウなどから電子商取引上の操作を行うことができるためユーザの利便性を向上させ電子商取引の方式の可能性を拡大できる。
【符号の説明】
【００１４】
１    電子カタログ、電子書籍
２    カタログ様に羅列、展開する画像において２点以上の商品、サービスを含むもの
３    カタログ様に羅列、展開する動画において２点以上の商品、サービスを含むもの
４    オンラインコンテンツ
５    詳細リンクボタン
６    電子カート
【図１】
2020046785.tif 000003
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
電子カタログ、電子書籍上からの直接の電子商取引を可能とすることを特徴とするシステム。
【請求項２】
ウェブページ上の画像、動画中に存在する商品、サービスを選択して画面遷移なく電子カートへの追加または詳細情報の取得を可能とするシステム。
【請求項３】
ウェブページ上の画像、動画内にある２つ以上の商品、サービスのうち対象を１つ選択して画面遷移なく電子カートへの追加または詳細情報の取得を可能とするシステム
【請求項４】
ソフトウェア、アプリケーション内の画像、動画中に存在する商品、サービスを選択して画面遷移なく電子カートへの追加または詳細情報の取得を可能とするシステム。
【請求項５】
ソフトウェア、アプリケーション内の画像、動画内にある２つ以上の商品、サービスのうち対象を１つ選択して画面遷移なく電子カートへの追加または詳細情報の取得を可能とするシステム
【手続補正書】
【提出日】令和1年6月26日(2019.6.26)
【手続補正１】
【補正対象書類名】明細書
【補正対象項目名】全文
【補正方法】変更
【補正の内容】
【発明の詳細な説明】
【技術分野】
【０００１】
本発明は、電子カタログ、電子書籍およびオンライン、ソフトウェア、アプリケーション上の画像と動画上に電子商取引における販売システムを付帯したものである。
【背景技術】
【０００２】
従来、電子カタログ、電子書籍は単に広告、情報媒体として存在しそれ自体に掲載された物品、サービスから直接購入決済する電子商取引の機能は備えていなかった。
【０００３】
またオンライン上もしくはソフトウェア、アプリケーション内の画像、動画中にある商品、サービスに対し画面遷移なく詳細を表示させることや電子カートに加えるといった操作を可能とするシステムは存在せず、この欠点は直観的な操作に関して障害である。
【発明の概要】
【発明が解決しようとする課題】
【０００４】
解決しようとする問題点は、電子カタログ、電子書籍上からの直接の電子商取引を可能にするシステムの構築、およびオンライン、ソフトウェア、アプリケーション上の画像と動画内の商品、サービスから画面遷移なく電子商取引を行うシステムの構築。
【課題を解決するための手段】
【０００５】
本発明は、ユーザが電子カタログ、電子書籍上から直接の電子商取引を行うことを可能とする点を特徴とするシステムである。
【０００６】
またオンライン、ソフトウェア、アプリケーション上の画像と動画内の商品、サービスから画面遷移なく詳細の閲覧、電子カートへの追加を行うことを可能とする点を特徴とするシステムである。
【発明の効果】
【０００７】
本発明のシステムでは電子カタログ、電子書籍上からの直接の電子商取引を行うことができるため直観的な操作、閲覧が可能であり、またオンライン、ソフトウェア、アプリケーション上の画像と動画内の商品からは画面遷移なく詳細の閲覧や電子カートへの追加とった操作が可能であるため、個々のユーザの操作上の手間が減少し便利である。
【図面の簡単な説明】
【０００８】
【図１】図１はユーザが電子商取引において商品電子カートにいれる、または詳細を閲覧する一連の流れを記載した説明図である。
【発明を実施するための形態】
【０００９】
以下、本発明のシステムの実施機構を説明する。
図１は、本発明の実施例でありユーザが電子商取引において商品電子カートにいれる、または詳細を閲覧する一連の流れを記載した説明図である
【００１０】
ユーザ側の注文者端末から各コンテンツにアクセスする。１〜３はそれぞれ、コンテンツの掲載パターンの１つである。  
【００１１】
ユーザは各コンテンツ中から任意の物品、サービスを選択する。４はコンテンツの一例である。
【００１２】
５は詳細情報へのリンクが設定されたリンクボタンの一例であり、６は電子カートである。ユーザが物品、サービスの購入に進む場合には６電子カートをクリックし、商品をカートにいれる。詳細情報を取得する場合には５リンクボタンをクリックすることで詳細情報を閲覧することができる。なおコンテンツ２もしくは３の場合においては、６電子カートと５リンクボタンのクリックによる画面遷移はなく同ページに表示されるポップアップなどから購入、閲覧に進む。
【産業上の利用可能性】
【００１３】
電子書籍、電子カタログ上から直接電子商取引を行うことができ、オンライン上またはソフトウェア、アプリケーション上の画像、動画内の商品、サービスを選択し画面遷移なくページのポップアップウィンドウなどから詳細の閲覧、電子カートへの追加、購入といった電子商取引上の操作を行うことができるためユーザの利便性を向上させ電子商取引の方式の可能性を拡大できる。
【符号の説明】
【００１４】
１    電子カタログ、電子書籍
２    オンライン、ソフトウェア、アプリケーション上の画像に含まれる商品、サービス、情報
３    オンライン、ソフトウェア、アプリケーション上の動画に含まれる商品、サービス、情報
４    オンラインコンテンツ
５    詳細リンクボタン
６    電子カート
【手続補正書】
【提出日】令和1年12月11日(2019.12.11)
【手続補正１】
【補正対象書類名】図面
【補正対象項目名】全図
【補正方法】変更
【補正の内容】
【図１】
2020046785.tif 000004
【手続補正書】
【提出日】令和1年12月11日(2019.12.11)
【手続補正１】
【補正対象書類名】明細書
【補正対象項目名】０００１
【補正方法】変更
【補正の内容】
【０００１】
本発明は電子カタログ、電子書籍に電子商取引における販売システムを付帯したものである。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
解決しようとする問題点は、電子カタログ、電子書籍に電子商取引の機能を付帯させたシステムの実現である。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明のシステムでは電子カタログ、電子書籍は単なる情報媒体ではなく電子商取引のシステムを付帯している為、情報と購入の手間が分断されず従来のように
ユーザーが商品購入のため別途電子商取引用のウェブサイトにアクセスし詳細情報を取得する、商品を購入するといった操作が不要となり便利である。
【手続補正６】
【補正対象書類名】明細書
【補正対象項目名】０００９
【補正方法】変更
【補正の内容】
【０００９】
以下、本発明システムの実施機構を説明する。図１は本発明の実施例であり、ユーザーがコンピューターやスマートフォンなどの端末を用いてインターネットに接続し、
任意の商品を電子カートに入れる、または詳細を閲覧するといった電子商取引の一連の流れを記載した説明図である。
【手続補正７】
【補正対象書類名】明細書
【補正対象項目名】００１０
【補正方法】変更
【補正の内容】
【００１０】
ユーザーはコンピューターやスマートフォンなどの端末を用いてインターネット上のサーバーを経由し電子カタログ、電子書籍にアクセスする。１は電子カタログ、電子
書籍の一例、２は１の内容を拡大したものである。
【手続補正８】
【補正対象書類名】明細書
【補正対象項目名】００１１
【補正方法】変更
【補正の内容】
【００１１】
ユーザーは電子カタログ、電子書籍に掲載された商品やサービスを閲覧する。３、４、５は掲載される商品、サービスの一例を表示したものである。
【手続補正９】
【補正対象書類名】明細書
【補正対象項目名】００１２
【補正方法】変更
【補正の内容】
【００１２】
ユーザーが電子カタログ、電子書籍に掲載された掲載された商品、サービスの詳細情報の閲覧または購入を行う場合は３、４、５に付属する各ボタンをクリックし商品情報の取得や商品を電子カートに加える操作を行う。６は詳細情報へのリンクが設定されたボタンの例であり、７は電子カートの例である。なお、詳細情報の閲覧、電子カートへの追加操作は電子カタログ、電子書籍上に表示されるポップアップなどから画面遷移なく行われる。
【手続補正１０】
【補正対象書類名】明細書
【補正対象項目名】００１３
【補正方法】変更
【補正の内容】
【００１３】
情報媒体である電子カタログ、電子書籍電子商取引のシステムを直接付帯しているためユーザーの利便性を向上させ電子商取引方式の可能性を拡大できる。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
電子カタログ、電子書籍上からの直接の電子商取引を可能とすることを特徴とするシステム。